(57)【要約】      （修正有）【課題】使用者の好みや体形、あるいは使用場所等の状況に応じて簡単に全体の外観を変化させることができ、また取り付ける装飾物の個数、種類、配列等を任意に選定できるようにした装身具およびこの装身具に使用する装飾物保持用台座を提供する。【解決手段】ストラップ部材２と、このストラップ部材に脱着可能に取り付けられる台座部材７と、この台座部材７に脱着可能に取り付けられる装飾部材とを有し、台座部材７は一端部に舌片部９を有し、舌片部９はループ状に折り返されてその舌片部９先端が台座部材７に対して固着、離脱可能となっており、ループ状に折り返されて台座部材７に固着された舌片部９の間にストラップ部材２が挿通されている。【選択図】図１
0003201808.tif 000002
【実用新案登録請求の範囲】
【請求項１】
台座部材、ストラップ部材及び装飾部材とからなる装身具であって、前記台座部材は台座本体部と前記台座本体部の一端部に形成されてなる舌片部とからなり、前記台座本体部は装飾部材を脱着自在に取り付ける脱着手段と、前記舌片部を折り返した状態で前記台座本体部に脱着自在に取り付ける脱着手段を有し、前記舌片部が前記台座本体部に折り返し固着された状態で前記舌片部に形成されるループ部が成す挿通部にストラップ部材が挿通されてなり、前記装飾部材は脱着手段を有し前記台座本体部に脱着自在に固着されてなることを特徴とする装身具。
【請求項２】
脱着手段はスナップボタンであることを特徴とする請求項１に記載の装身具。
【請求項３】
スナップボタンは複数個取り付けられることを特徴とする請求項２に記載の装身具。
【請求項４】
台座部材は、台座本体部に取り付けられてなる複数個のスナップボタンと、舌片部に取り付けられてなる少なくとも１個のスナップボタンとを有し、前記舌片部が折り返されかつ前記舌片部に取り付けられたスナップボタンと前記台座本体部に取り付けられたスナップボタンとが固着された状態で前記舌片部に形成されるループ部が挿通部を成すことを特徴とする請求項１乃至３のいずれかに記載の装身具
【請求項５】
ストラップ部材は無端状に形成されてなることを特徴とする１乃至４のいずれかに記載の装身具。
【請求項６】
ストラップ部材は有端状に形成されその端部同士が接続離脱自在に形成されてなることを特徴とする１乃至４のいずれかに記載の装身具。
【請求項７】
前記脱着手段は面ファスナーであることを特徴とする請求項１に記載の装身具。
【請求項８】
装飾部材が脱着自在な台座部材は、台座本体部と前記台座本体部の一端部に形成されてなる舌片部とからなり、前記台座本体部は装飾部材を脱着自在に取り付ける脱着手段と、前記舌片部を折り返した状態で前記台座本体部に脱着自在に取り付ける脱着手段を有し、前記舌片部が前記台座本体部に折り返し固着された状態で前記舌片部に形成されるループ部が挿通部を成すことを特徴とする装飾物保持用台座。
【請求項９】
台座部材は、台座本体部に取り付けられてなる複数個のスナップボタンと、舌片部に取り付けられてなる少なくとも１個のスナップボタンとを有し、前記舌片部が折り返されかつ前記舌片部に取り付けられたスナップボタンと前記台座本体部に取り付けられたスナップボタンとが固着された状態で前記舌片部に形成されるループ部が挿通部を成すことを特徴とする請求項８に記載の装飾物保持用台座。
【考案の詳細な説明】
【技術分野】
【０００１】
本考案は装身具および装飾物保持用台座に関し、特に、複数個の装飾部材が取付け可能で、かつ好みに応じて前記装飾部材を交換可能とした装身具および装飾物保持用台座に関する。
【背景技術】
【０００２】
装身具として従来から腕輪やネックレス、あるいは指輪やブローチ等があるが、この中で使用者の頸に掛けるストラップに小形の飾り物（装飾部材）を装着して胸元に吊り下げるようにしたものが知られている。このような装身具においては一般に１種類の装飾物を前記ストラップやネックレスに固定的に取り付けたものが多く、その時々の状況に合せて装飾物だけを他のものと付け替えたりするようにはなっていない。
しかし近年、装身具として種々のものが考案されるに従い、ループ状に頸に吊り下げるストラップやネックレスに種々の装飾物を好みに応じて付け替え得るようにしたものが出現している。例えば、特許文献１に示す装身具は、頸に掛けるように全体として鎖状のものをループ状に構成した装身具であって、複数個の鎖状のパーツを脱着可能な連結部材で連結し、幾つかのパーツの部分を使用者の好みに応じて取り替えるようにしている。
【０００３】
また、特許文献２に示す装身具は、頸や腕に掛ける数種のベースパーツと、装飾物となる数種の装飾パーツ（ジャケットパーツ）と、前記ベースパーツと前記ジャケットパーツとを脱着可能に連結する数種のジョイントパーツとで構成した装身具であり、これら数種のパーツをその時々の好みに応じて取り替えできるように構成している。この場合、前記ジャケットパーツは１個に限らず、任意に複数個のパーツを前記ジョイントパーツを介して前記ベースパーツに取り付けるようにしている。
【先行技術文献】
【特許文献】
【０００４】
【特許文献１】特開平１０−１３７０１５号公報
【特許文献２】特開２００６−１０１９５８号公報
【考案の概要】
【考案が解決しようとする課題】
【０００５】
装身具は一般にその時々の状況に合せて好みのものを身に付けるのが普通であるが、多数の高価な装身具を準備しておくのは限界がある。多くの装身具は使用者の身体あるいはその衣服に保持するための保持部と、この保持部に取り付ける装飾物とで構成されているが、前記保持部を共通部品として、これに取り付ける前記装飾物のみを好みや状況に応じて付け替えるようにすると便利である。特許文献１，２はいずれもこの趣旨に沿ったものであるが、付け替える装飾物の種類や形態は限界があり、全く別個の装身具に変化してしまうというものではない。例えば特許文献１では、ネックレスの形態は変らず、そのループ状部分の中途部分のみを異なる長さの、あまいは異なる模様の長尺パーツで置き替えるという構成である。特許文献２のものにしても、ベースパーツに複数個のジャケットパーツを好みに応じて取り付け得るようにしているものの、取り付けるジャケットパーツの個数や形状は限界があり、装身具の変化の度合いは未だ充分とはいえない。
【０００６】
本考案は、使用者の好みや体形、あるいは使用場所等の状況に応じて簡単に全体の外観を変化させることができ、また取り付ける装飾物の個数、種類、配列等を任意に選定できるようにした装身具およびこの装身具に使用する装飾物保持用台座を提供することを目的とするものである。
【課題を解決するための手段】
【０００７】
本考案に係る装身具は、台座部材、ストラップ部材及び装飾部材とからなる装身具であって、前記台座部材は台座本体部と台座本体部の一端部に形成されてなる舌片部とからなり、前記台座本体部は装飾部材を脱着自在に取り付ける脱着手段と、前記舌片部を折り返した状態で前記台座本体部に脱着自在に取り付ける脱着手段を有し、前記舌片部が前記台座本体部に折り返し固着された状態で前記舌片部に形成されるループ部が成す挿通部にストラップ部材が挿通されてなり、前記装飾部材は脱着手段を有し前記台座本体部に脱着自在に固着されてなることを特徴とする。
【０００８】
本考案のひとつの形態によれば、脱着手段はスナップボタンであることを特徴とする。また、前記スナップボタンは複数個取り付けられることを特徴とする。
【０００９】
本考案のひとつの形態によれば、台座部材は、台座本体部に取り付けられてなる複数個のスナップボタンと、舌片部に取り付けられてなる少なくとも１個のスナップボタンとを有し、前記舌片部が折り返されかつ前記舌片部に取り付けられたスナップボタンと前記台座本体部に取り付けられたスナップボタンとが固着された状態で前記舌片部に形成されるループ部が挿通部を成すことを特徴とする。
【００１０】
本考案のひとつの形態によれば、ストラップ部材は無端状に形成されてなることを特徴とする。
【００１１】
本考案のひとつの形態によれば、ストラップ部材は有端状に形成されその端部同士が接続離脱自在に形成されてなることを特徴とする。
【００１２】
本考案のひとつの形態によれば、脱着手段は面ファスナーであることを特徴とする。
【００１３】
また、本考案によれば、装飾部材が脱着自在な台座部材は、前記台座部材は台座本体部と台座本体部の一端部に形成されてなる舌片部とからなり、前記台座本体部は装飾部材を脱着自在に取り付ける脱着手段と、前記舌片部を折り返した状態で前記台座本体部に脱着自在に取り付ける脱着手段を有し、前記舌片部が前記台座本体部に折り返し固着された状態で前記舌片部に形成されるループ部が挿通部を成すことを特徴とする装飾物保持用台座が提供される。
【００１４】
本考案の他の形態によれば、台座部材は、台座本体部に取り付けられてなる複数個のスナップボタンと、舌片部に取り付けられてなる少なくとも１個のスナップボタンとを有し、前記舌片部が折り返されかつ前記舌片部に取り付けられたスナップボタンと前記台座本体部に取り付けられたスナップボタンとが固着された状態で前記舌片部に形成されるループ部が挿通部を成すことを特徴とする。
【考案の効果】
【００１５】
本考案によれば、使用者の好みや体形、あるいは使用場所等の状況に応じて簡単に全体の外観を変化させることができ、また、取り付ける装飾物の個数、種類、配列等を任意に選定できる。装飾部材の付け替えが容易であることに加えて、取り付けた装飾部材が振動や揺れによって外れ落ちることはない。
【図面の簡単な説明】
【００１６】
【図１】本考案の１実施例に係る装身具の全体構成を示す平面図である。
【図２】本考案の他の実施例に係る装身具の全体構成を示す平面図である。
【図３】図２に示す実施例におけるストラップ部材の端部連結状態を示す平面図である。
【図４】本考案の実施例に係る装飾物保持用台座を示した図であり、同図（ａ）は表側の平面図、同図（ｂ）は裏側の平面図、同図（ｃ）は台座の舌片部を折り返して台座本体部に係合させた状態の側面図である。
【図５】本考案の実施例に係る台座に取り付けられる装飾部材の一例を示した図であって、同図（ａ）はその表面側、同図（ｂ）は裏面側を示す平面図である。
【図６】台座より大きな装飾部材を取り付けた装身具の例を示す平面図である。
【図７】複数の装飾部材を互いに離隔して台座に取り付けた装身具の例を示す平面図である。
【図８】本考案に係る台座によってキーホルダーの機能を付加した身飾品として構成した例を示す平面図である。
【考案を実施するための形態】
【００１７】
次に、本考案を、図面を参照しながら、各種の実施例について説明する。
図１を参照すれば、本実施例に係る装身具１は使用者の頸から胸元へ吊り下げる形態に構成したものであり、紐状あるいは鎖状のストラップ部材２(以下、単にストラップという。）が無端状の輪の形態に形成され、使用者の頸をストラップ２の輪に通して頸から胸元に吊り下げたり、あるいは短いストラップの場合に使用者の手首に掛けて保持する形態となっている。
【００１８】
図２、図３に示す他の実施例では、細帯状、紐状あるいは鎖状のストラップ２が有端状に形成され、使用時にはその端部同士を互いに連結して輪の形態にし、使用者の頸や手首に通すことで身体に保持する。この場合、ストラップ２の両端部材には互いに結合、離脱可能な掛留め部３，４が設けられている。この掛留め部は、一例を示すと、ストラップ２の一端に円環５が遊動自在に連結され、他端に円環５に挿入可能でかつ該円環の直径より若干長い短軸６が遊動自在に連結されている。なお、短軸６はその中央部が短い鎖状の部材によってストラップ２の一端部に連結され、同様に円環５も短い鎖状の部材によってストラップ２の他端部に連結され、これによって短軸６および円環５はそれぞれストラップ２の端部に対して遊動自在となっている。短軸６をその軸端から軸方向に向けて円環５内に完全に挿入することにより、円環５の外径より長い短軸６は円環５を通過した後該円環の外径をまたぐように円環５と係合し、図３に示すようにストラップ２の各端部が連結される。なお、ストラップ２の端部同士の脱着可能な連結は図示の形態以外に他の公知の手段であってもよい。
【００１９】
図１、図２の各実施例ともストラップ２には本考案に係る装飾物を保持するための装飾物保持用台座すなわち台座部材７(以下、単に台座という。）が脱着可能に取り付けられる。次に、この台座７の構成について図４（ａ）〜（ｃ）を参照して説明する。台座７は本革製、合成皮革製、厚紙製、合成樹脂製、布製等の可撓性の平板状の板片部材で構成され、台座本体部８は円盤形、四角形、台形その他の面板状に形成され、台座本体部８の一端部から或る長さの舌片部９が延在又は取り付けられている。舌片部９は台座本体部８の上面へループ状に折り返し可能となっている。台座本体部８の面板部位には複数個の、実施例では表面側（図４（ａ））に４個、裏面側（図４（ｂ））に２個の雌型スナップボタン１０，１１が固着されている。
【００２０】
また、台座７の裏面側（図４（ｂ））で舌片部９の先端部位にも１個の雄型スナップボタン１２が固着されている。この実施例の台座本体部８の雌型スナップボタン１０，１１は２重円環の形状を有し、外側の円環が台座本体部８の面板に埋設されてカシメ加工で面板に固着され、２重円環の内側の円環は先端縁が若干内径側へ張り出た縁形態となっている。外側および内側の円環はその底部で互いに連結されている。なお、図４（ａ）で台座表側の符号１３に示す部分は裏側のスナップボタン１１の表面側に露呈するカシメ加工部分を隠すための化粧円板である。
【００２１】
台座７の舌片部９では裏側の面（図４（ｂ））に雄型スナップボタン１２が設けられている。雄型スナップボタン１２は円環の中心に突起部１４を設けた構成となっている。舌片部９の裏側の面が内側となるように舌片部９が台座本体部８の裏側の面板上に折り返され、この状態で舌片部９の雄型スナップボタン１２が台座本体部８の裏側の面板の雌型スナップボタン、具体的には裏側の２個のスナップボタン１１，１１ａのうち舌片部９に近い側の雌型スナップボタン１１ａと係合される。この状態は図４（ｃ）に示されている。雄型スナップボタンと雌型スナップボタンの係合は雄型スナップボタンの中心の突起部１４が雌型スナップボタン１１ａの内側円環にパチンと嵌入されることにより係合される。
【００２２】
このようにして舌片部９が台座本体部８の面板へ向けてループ状に折り返されて雌雄のスナップボタンが係合されたとき、舌片部９と台座本体部８との間に生じるループ部１５が挿通部を成し、この隙間にストラップ２が挿入される。実際には、ストラップ２の中途部を台座本体部８の裏面の舌片部９につながる部位に配置しておき、このストラップ２に被さるように舌片部９を台座本体部８側へ折り返して雌雄のスナップボタン１１ａ，１２を係合させる。
【００２３】
舌片部９を折り返して台座本体部８に係合させた後の台座本体部８の残りのスナップボタンには、該本体部のスナップボタンと係合するスナップボタンを備えた装飾物が取り付けられる。この装飾物の一例を図５（ａ），（ｂ）を参照して説明する。この例は１枚の人工花びら１６と３枚の人工葉片１７が花びらの中心部で結合された装飾部材１８であり、図５（ａ）はこの装飾部材１８の表面である。この例では花びらと葉片との結合はスナップボタンのカシメ加工によってなされ、その結合部分の裏面（図５（ｂ））に雄型のスナップボタン１９が露出している。この場合の雄型スナップボタン１９は前述した舌片部９の雄型スナップボタン１２と同様のものでよく、装飾部材１８の裏面側の雄型スナップボタン１９と台座本体部８の表面側の雌型スナップボタン１０とを係合させることにより、頸にかけるストラップ２に保持された花びらと葉片からなる装飾物が得られる。装飾部品１８は例えば「晴」の日、「褻」の日  に応じて他のものと取り替えることができる。
【００２４】
装飾部材は他にも種々のものが準備されており、いずれも台座のスナップボタンと係合するスナップボタンを備え、その時々に合せて好みの装飾部材を台座本体部に取り付けることができる。装飾部材は１個に限らず、複数個の種々の装飾部材を組み合せて台座本体部の表面または裏面に、あるいは表裏両面に取り付けることができる。また、装身具１をよりを華やかにしたいときには複数の台座７を一つのストラップに取り付けることもでき、これら複数の台座７間に装飾部材８を渡すように取り付けてもよい。装飾部材の取付けはスナップボタンを利用しているため、その取外し、取替えがワンチッチで容易に行えるとともに、取り付けた装飾部材が人体の動きで簡単に外れ落ちることもない。装飾部材も異なる種類のものを組み合せて、かつ好みの配列と角度で台座の表裏面に取り付けることができる。また、同じ台座に対して使用者の体型や身長に合せて、あるいは使用する場所に応じてその都度取り替えることができる。
【００２５】
図６は台座７が装飾部材１８の裏に隠れるように大きな装飾部材１８を台座７に取り付けた例である。この場合は装飾部材１８の裏側には２個の雄型スナップボタンが取り付けられており、台座の左右２箇所の雌型スナップボタン１０に係合される。装飾部材１８の２箇所の雄型スナップボタンのカシメ加工部分は化粧円板２０で隠されている。また、台座本体部８の複数個のスナップボタンは互いに離隔して配置されているため、図７に示すように、複数の装飾部材１８を重ならないように互いに離して台座本体部８に取り付けることができる。台座７に対する装飾部材１８の向きや角度も任意に変えることができる。図４に示す台座を例にとれば、台座本体部８の下方部位に３つの葉片２１が八字状に離隔して取り付けられ、台座本体部８の中央上方部位に１つの花２２が取り付けられた形態に構成することもできる。この場合もスナップボタンを固着するときのカシメ加工部分は化粧円板２０で露呈しないようにしてある。そのほか使用者自身の創意によって自由な配列や部品種類の選択で装飾物を構成することができる。
【００２６】
また台座は使用者の頸に掛けるストラップに取り付けるだけでなく、例えば舌片部と台座本体部とが形成するループ状の挿通部に腕輪やキーホルダーを挿通させてに取り付けたり、あるいは衣服のボタン穴や背広の襟のバッチを付ける穴等を利用して台座の舌片部をこれらの穴に通すことで衣服自体に台座を取付け、この台座に装飾部材を取り付け、ブローチの形態に構成してもよい。
【００２７】
上述の実施例では台座本体部の面板に雌型スナップボタンを、舌片部および装飾部材に雄型スナップボタンを設けたが、これを逆にして台座本体部に雄型スナップボタンを、舌片部および装飾部材に雌型スナップボタンを設けてもよい。また、これらの脱着手段は上記形態のスナップボタンに限るものでなく、一般に知られているホックのような脱着手段、あるいは面ファスナーのような脱着手段であってもよい。面ファスナーの場合は台座本体部の表裏面の全面に設けるか、あるいはパッチ状の複数個の面ファスナーを適当な間隔を有して貼着してもよい。  
【００２８】
さらに本考案に係る台座は直接身体あるいは衣服に付けるだけでなく、キーあるいはキーホルダーの環状部に取り付けることもできる。図８はキーの取手部分２３に付けた例であり、キーの取手部分２３の穴２４を利用して本考案に係る台座７を取り付け、台座７に装飾部材２５を取り付け、キーホルダーの機能を付加したような身飾品の形態とすることも可能である。
【００２９】
以上説明したように本考案によれば、使用者の好み、体型や身長、また使用場所の状況に合せて装飾部材を簡単に取り替えることができ、また、装飾部材の取替えの容易さに加えて、揺れや振動等の動きによって外れ落ちる心配はない。本考案の装身具はネックレスや腕輪、ブローチなど種々の形態に変化可能であり、また、身体あるいは衣服に付けるだけでなく、例えばハンドバックの掛紐の部分に取り付けたり、キーやキーホルダーの柄部の長穴あるいは円環部に取り付けて装飾性をもつキーあるいはキーホルダーとして用いることができる。
【符号の説明】
【００３０】
１  装身具
２  ストラップ
３，４  掛留め部
５  円環
６  短軸
７  台座
８  台座本体部
９  舌片部
１０，１１，１１ａ  雌型スナップボタン
１２，１９  雄型スナップボタン
１３  化粧円板
１４  雄型スナップボタンの突起部
１５  隙間部分
１８，２５  装飾部材
２０  化粧円板
【図１】
0003201808.tif 000003
【図２】
0003201808.tif 000004
【図３】
0003201808.tif 000005
【図４】
0003201808.tif 000006
【図５】
0003201808.tif 000007
【図６】
0003201808.tif 000008
【図７】
0003201808.tif 000009
【図８】
0003201808.tif 000010
【手続補正書】
【提出日】平成27年10月29日(2015.10.29)
【手続補正１】
【補正対象書類名】実用新案登録請求の範囲
【補正対象項目名】全文
【補正方法】変更
【補正の内容】
【実用新案登録請求の範囲】
【請求項１】
台座部材、ストラップ部材及び装飾部材とからなる装身具であって、前記台座部材は台座本体部と前記台座本体部の一端部に形成されてなる舌片部とからなり、前記台座本体部は装飾部材を脱着自在に取り付ける脱着手段と、前記舌片部を折り返した状態で前記台座本体部に脱着自在に取り付ける脱着手段を有し、前記舌片部が前記台座本体部に折り返し固着された状態で前記舌片部に形成されるループ部が成す挿通部にストラップ部材が挿通されてなり、前記装飾部材は脱着手段を有し前記台座本体部に脱着自在に固着されてなることを特徴とする装身具。
【請求項２】
脱着手段はスナップボタンであることを特徴とする請求項１に記載の装身具。
【請求項３】
スナップボタンは複数個取り付けられることを特徴とする請求項２に記載の装身具。
【請求項４】
台座部材は、台座本体部に取り付けられてなる複数個のスナップボタンと、舌片部に取り付けられてなる少なくとも１個のスナップボタンとを有し、前記舌片部が折り返されかつ前記舌片部に取り付けられたスナップボタンと前記台座本体部に取り付けられたスナップボタンとが固着された状態で前記舌片部に形成されるループ部が挿通部を成すことを特徴とする請求項１乃至３のいずれかに記載の装身具。
【請求項５】
ストラップ部材は無端状に形成されてなることを特徴とする請求項１乃至４のいずれかに記載の装身具。
【請求項６】
ストラップ部材は有端状に形成されその端部同士が接続離脱自在に形成されてなることを特徴とする請求項１乃至４のいずれかに記載の装身具。
【請求項７】
前記脱着手段は面ファスナーであることを特徴とする請求項１に記載の装身具。
【請求項８】
装飾部材が脱着自在な台座部材は、台座本体部と前記台座本体部の一端部に形成されてなる舌片部とからなり、前記台座本体部は装飾部材を脱着自在に取り付ける脱着手段と、前記舌片部を折り返した状態で前記台座本体部に脱着自在に取り付ける脱着手段を有し、前記舌片部が前記台座本体部に折り返し固着された状態で前記舌片部に形成されるループ部が挿通部を成すことを特徴とする装飾物保持用台座。
【請求項９】
台座部材は、台座本体部に取り付けられてなる複数個のスナップボタンと、舌片部に取り付けられてなる少なくとも１個のスナップボタンとを有し、前記舌片部が折り返されかつ前記舌片部に取り付けられたスナップボタンと前記台座本体部に取り付けられたスナップボタンとが固着された状態で前記舌片部に形成されるループ部が挿通部を成すことを特徴とする請求項８に記載の装飾物保持用台座。